(57)【要約】【課題】使い勝手のよい検眼台を提供すること。【解決手段】レンズセット１０３を収納する検眼台１に、カルテＫや遮眼子１１２、はさみ１１３、のり１１４、筆記用具１１５などの検眼用物品を載置される天板２と、テストレンズ１１０を収納するレンズセット１０３を載置するための載置面１５を備え、載置面１５が天板２に対して傾斜するように天板２に固定される載置台１０と、を設け、天板２の正面側縁と載置台１０との間にＡ４サイズの用紙以上のスペースＳ１を形成する。【選択図】図１
0003123144.tif 000002
【実用新案登録請求の範囲】
【請求項１】
検眼用物品を載置される天板と、
テストレンズを収納するレンズセットを載置するための載置面を備え、前記載置面が前記天板に対して傾斜するように前記天板に固定される載置台と、を有し、
前記天板の正面側縁と前記載置台との間にＡ４サイズの用紙以上のスペースを有するものであることを特徴とする検眼台。
【請求項２】
請求項１に記載する検眼台において、
前記天板は、前記載置台の両側に設置スペースを有することを特徴とする検眼台。
【請求項３】
請求項１又は請求項２に記載する検眼台において、
前記載置台は、前記レンズセットの滑動を制限するために前記載置面の地側に設けられた底枠と、前記載置面の両側に設けられた左右枠とを有し、前記載置面の天側が開放されていることを特徴とする検眼台。
【請求項４】
請求項１乃至請求項３の何れか１つに記載する検眼台において、
前記載置面が前記天板に対して４５度以下の角度で傾斜していることを特徴とする検眼台。
【請求項５】
請求項１乃至請求項４の何れか１つに記載する検眼台において、
前記天板は、背板と、前記背板を挟んで対向配置される一対の側板とが固定され、
収納ボックスが前記背板の外面に固定されていることを特徴とする検眼台。
【考案の詳細な説明】
【技術分野】
【０００１】
本考案は、レンズセットを収納する検眼台に関する。
【背景技術】
【０００２】
従来より、検者Ｍ１が被検者Ｍ２に眼鏡枠をかけさせ、眼鏡枠に入れるテストレンズを変えながら検眼を行っている。例えば図５に示す検眼室では、被検者Ｍ２が座る座席が二つ設けられ、各座席位置から所定の距離離れた位置にリモコン視力表１０１，１０１が設置されている。座席の間には、図６に示すようなレンズセット１０３を収納する検眼用キャビネット１０２が１台設置されている。図６に示すようにレンズセット１０３は、可搬性を良くするためにかばん型をなし、本体１３１側に左右両眼のテストレンズ１１０が収納され、蓋１３２が本体１３１に着脱可能に連結されている。尚、以下の説明でレンズセット１０３という場合には、テストレンズ１１０を収納する本体１３１を指すものとする。レンズセット１０３は検眼用キャビネット１０２に載置され、二人の検者M1に共用される。
【０００３】
図７は、従来の検眼用キャビネット１０２を示す図である。
検眼用キャビネット１０２は、箱形をなし、レンズセット１０３を載置するための載置面が上面に設けられている。載置面の下方には、可動台１０４と引き出し１０５，１０６がスライド可能に設けられている。引き出し１０５，１０６には、検眼に使用する眼鏡枠１１１などが収納される。また、引き出し１０５，１０６の下側には、棚１０８が設けられている。
【０００４】
検者Ｍ１は、眼鏡枠１１１を被検者Ｍ２にかけて、レンズセット１０３からテストレンズ１１０を取り出して眼鏡枠１１１に挿入する。そして、リモコンを操作してリモコン視力表１０１の視表を移動させ、検眼作業を行う。検者Ｍ１は、図８及び図９に示すようなカルテＫを可動台１０４に載せ、検眼結果等をカルテＫに記載する。このような従来の検眼用キャビネット１０２は、レンズセット１０３を載せる載置面の下方に可動台１０４や引き出し１０５，１０６、棚１０８を設けるため、デッドスペースを小さくできる利点がある。
【考案の開示】
【考案が解決しようとする課題】
【０００５】
しかしながら、従来の検眼用キャビネット１０２には以下の問題があった。
すなわち、検眼用キャビネット１０２は、デッドスペースを少なくする観点から、レンズセット１０３の幅寸法と奥行き寸法に合わせて幅寸法と奥行き寸法が設定されている。例えば図６に示すレンズセット１０３は、４０通りのテストレンズ１１０が左眼用と右眼用に各々備えられ、球面形状に合わせて整然と並べられており、幅寸法Ｗ１１と奥行き寸法Ｗ１２が５５０ｍｍと３４５ｍｍに設定されている。このレンズセット１０３を載置するために、図７に示す検眼用キャビネット１０２は、幅寸法Ｗ１３と奥行き寸法Ｗ１４が例えば５６５ｍｍと４００ｍｍに設定される。検眼用キャビネット１０２を構成する側板の厚さＷ１５が３０ｍｍである場合には、可動台１０４の移動に必要な隙間を考慮すると、可動台１０４の幅寸法を４８０ｍｍ程度、奥行き寸法を３７０ｍｍ程度に設定することが可能である。
【０００６】
ところが、可動台１０４を引き出して記載台として使用する場合、検眼用キャビネット１０２は、可動台１０４に作用する荷重や可動台１０４を水平に保持するための保持力を考慮して、可動台１０４の引き出し量が決定される。そのため、検眼用キャビネット１０２は、可動台１０４の奥行き寸法が３７０ｍｍ程度であっても、検眼用キャビネット１０２から実際に引き出して使用できる可動台１０４の奥行き寸法Ｗ１６は、２５０ｍｍ程度になってしまっていた。
【０００７】
図８及び図９に示すカルテＫがＡ４サイズの場合、カルテＫの縦寸法Ｗ２１は２９７ｍｍ、横寸法Ｗ２２は２１０ｍｍである。そのため、検眼用キャビネット１０２は、引き出した可動台１０４にカルテＫを載せたときに、カルテＫが可動台１０４からはみ出してしまい、検者Ｍ１がカルテＫの位置をずらしながら検眼結果等をカルテＫに書き込まなければならず、使い勝手が非常に悪かった。
【０００８】
本考案は、上記課題を解決するためになされたものであり、使い勝手のよい検眼台を提供することを目的とする。
【課題を解決するための手段】
【０００９】
上記の目的を達成するために、本考案の検眼台は以下の構成を有する。
（１）検眼台において、検眼用物品を載置される天板と、テストレンズを収納するレンズセットを載置するための載置面を備え、前記載置面が前記天板に対して傾斜するように前記天板に固定される載置台と、を有し、前記天板の正面側縁と前記載置台との間にＡ４サイズの用紙以上のスペースを有するものであることを特徴とする。
【００１０】
（２）（１）に記載の考案において、前記天板は、前記載置台の両側に設置スペースを有することを特徴とする。
【００１１】
（３）（１）又は（２９）に記載の考案において、前記載置台は、前記レンズセットの滑動を制限するために前記載置面の地側に設けられた底枠と、前記載置面の両側に設けられた左右枠とを有し、前記載置面の天側が開放されていることを特徴とする。
【００１２】
（４）（１）乃至（３）の何れか１つに記載の考案において、前記載置面が前記天板に対して４５度以下の角度で傾斜していることを特徴とする。
【００１３】
（５）（１）乃至（４）の何れか１つに記載の考案において、前記天板は、背板と、前記背板を挟んで対向配置される一対の側板とが固定され、収納ボックスが前記背板の外面に固定されていることを特徴とする。
【考案の効果】
【００１４】
本考案の検眼台によれば、天板の正面側縁と載置台との間に設けられた天板のスペースにＡ４サイズのカルテをはみ出すことなく載せ、載置台に載置されたレンズセットからテストレンズを取り出して行った検眼結果等をカルテの位置をずらさずにカルテに書き込むことができるので、使い勝手が良い。
【００１５】
また、本考案の検眼台によれば、載置台の両側に設置スペースが設けられているので、カルテの他にも、リモコン視力表のリモコンなどの検眼用品を載置台の両側に置くことができる。
【００１６】
また、本考案の検眼台によれば、載置面に載置したレンズセットの滑動を底枠で制限するとともに、レンズセットの左右方向の移動を左右枠で制限するので、レンズセットが載置台から滑落しにくく、使い勝手がよい。また、載置面の天側が開放されているので、レンズセットの寸法に自由度を持たせることができる。
【００１７】
また、本考案の検眼台によれば、載置面が天板に対して４５度以下の角度で傾斜しているので、立ち作業をする検者が見やすい位置にテストレンズを並べることができる。
【００１８】
また、本考案の検眼台によれば、背板の外面に収納ボックスを設けたので、被検者から見えない位置に視力盤等の検眼用品を収納することができる。
【考案を実施するための最良の形態】
【００１９】
＜検眼台の構成＞
本考案に係る検視台の一実施形態を図面を参照して説明する。図１は、検眼台１の斜視図である。図２は、図１に示す検眼台１の側面図である。図３は、図１に示す検眼台を背面側から見た斜視図である。尚、説明の便宜上、検視台１の幅方向を±Ｘ方向、奥行き方向を±Ｙ方向、上下方向を±Ｚ方向とする。
図１に示すように、検眼台１は、天板２に背板３と一対の側板４，５が固定され、天板２を所定の高さで水平に保持している。検眼台１の開口部には、箱形の引き出し６，７が図中±Ｙ方向にスライド可能に設けられている。また、引き出し６，７の下には棚８が設けられている。
【００２０】
図２に示すように、天板２には載置台１０が背面側（＋Ｙ側）縁に沿って固定されている。載置台１０は、台形形状に成形された一対の側板１１，１２と、一対の側板１１，１２の間に設けられた正面板１３と、一対の側板１１，１２の間に設けられた背面板１４とを備える。正面板１３は、背面板１４より全高が低くされ、正面板１３と背面板１４との間に設けられた載置面１５が天板２に対して傾斜している。載置面１５の傾斜角度θは、４５度以下であることが望ましい。本実施形態では、傾斜角度θを４０度に設定している。載置台１０は、正面板１３が載置面１５より張り出した部分により底枠１３ａを形成するとともに、一対の側板１１，１２が載置面１５から張り出した部分により左枠１１ａと右枠１２ａを形成している。一方、背面板１４は、載置面１５から張り出しておらず、載置面１５の天側を開放している。
【００２１】
図１に示すように、載置台１０を固定された天板２は、正面側の縁と載置台１０との間にＡ４サイズの用紙以上のスペースＳ１を有する。そして、天板２は、載置台１０の両側に設置スペースＳ２がそれぞれ設けられている。
更に、検眼台１は、図２及び図３に示すように、背板３の外面に収納ボックス１６がねじや接着剤などで固定されている。
【００２２】
検眼台１の寸法を例示すると、図３に示す検眼台１は、天板２の幅寸法Ｗ１が８００ｍｍ、天板２の奥行き寸法Ｗ２が６５０ｍｍ、床から天板までの高さ寸法Ｈ１が９２０ｍｍに設定されている。そして、載置台１０は、幅寸法Ｗ３が６００ｍｍ、奥行き寸法Ｗ４が２４０ｍｍ、高さ寸法Ｈ２が２１０ｍｍに設定されている。そのため、天板２の正面側（−Ｙ側）の縁から載置台１０までの幅Ｗ５（図２参照）は４１０ｍｍであり、Ａ４サイズの縦幅Ｗ２１である２９７ｍｍより大きい。また、天板の幅寸法W1が８００ｍｍであるため、Ａ４サイズの横幅Ｗ２２である２１０ｍｍの約３．９倍である。よって、検眼台１は、天板２に４Ａサイズの用紙を３枚載せることが可能である。また、天板２の幅寸法Ｗ１は、載置台１０の幅寸法Ｗ３より２００ｍｍ大きく、載置台１０の両側に１００ｍｍずつの設置スペースＳ２，Ｓ２を設けている。
【００２３】
＜検眼台の使用例＞
次に、検眼台１の使用方法について説明する。図４は、図１に示す検眼台１の使用例である。
検眼台１は、例えば図５に示す検査室のように、被検者Ｍ２の座席の間に設置される。検眼台１は、引き出し６，７に眼鏡枠１１１、遮眼子１１２、はさみ１１３、のり１１４、筆記用具１１５、書類など検眼に必要な検眼用品を収納する。また、棚８には、手荷物入れ用の籠１２１やファイル１２２などを置く。そして、載置台１０の天側から載置面１５にレンズセット１０３を挿入する。すると、レンズセット１０３が自重で載置面１５を滑り落ち、底枠１３ａに係止されて滑動を制限される。また、レンズセット１０３は、左枠１１ａと右枠１２ａによって左右方向の移動を制限される。
【００２４】
検眼時には、天板２の正面側縁と載置台１０との間に１枚或いは２枚以上のカルテＫを並べて載せる他、リモコン視力表１０１のリモコンＲをリモコン視力表１０１側に向けて載置台１０の両側に設けられた設置スペースＳ２に載置する。天板２の正面側（−Ｙ側）縁と載置台１０との間に形成される幅寸法Ｗ５は４１０ｍｍであり、Ａ４サイズのカルテＫを載せても載置台１０とカルテＫとの間に約１１０ｍｍ幅の空きスペースができる。そこで、その空きスペースに可動式の検眼用品立て１７を置くことにより、遮眼子１１２、はさみ１１３、のり１１４、筆記用具１１５などの検眼用品を検眼用品立て１７にまとめて立てて使用することが可能である。更に、図２に示すように検眼台１の背板３に設けた収納ボックス１６に複数枚の視力盤を収納する。
【００２５】
＜検眼方法＞
次に検眼方法について説明する。
先ず、検者Ｍ１は被検者Ｍ２のカルテＫ２を天板２に並べる。そして、カルテＫと載置台１０との間に載置された検眼用品立て１７に遮眼子１１２、はさみ１１３、のり１１４、筆記用具１１５などの検眼用品を立ててセットしておく。
【００２６】
検眼者Ｍ１は、検眼用品立て１７のはさみ１１３を用いてレフラクトメータがプリントアウトしたシート２１を適切な大きさに切り取り、検眼用品立て１７ののり１１４を用いてシート２１を「屈折・角膜曲率半径」の欄２２（図８参照）にのり付けする。その後、はさみ１１３とのり１１４を検眼用品立て１７に戻す。
【００２７】
検者Ｍ１は、座席に被検者を座らせて被検者Ｍ２が訴えた症状や前回の処置等を聞き、検眼台１の天板２に置いたカルテＫの「主訴、現病歴」欄２３や「処方、処置、手術」欄２４、検査内容記載欄２５等（図８参照）に適宜記載する。検者Ｍ１は、シート２１のデータに、被検者Ｍ２が訴える症状などを加味して、大まかなレンズ度数を決める。
【００２８】
それから、検眼用品立て１７の遮眼子１１２を被検者Ｍ２に手渡し、片眼を遮眼子１１２で隠してもらう。そして、大まかに決めたレンズ度数に対応するテストレンズ１１０を載置台１０にセットされたレンズセット１０３から取り出して眼鏡枠１１１に挿入する。そして、被検者Ｍ２にリモコン視表表１０１を見てもらう。そして、検者Ｍ１は、被検者Ｍ１の様子を見ながらテストレンズ１１０を良く見えるものに変えていく。このとき、被検者Ｍ２に乱視があれば、レンズセットから乱視用のテストレンズ１１０を取り出して眼鏡枠１１１に挿入する。
【００２９】
さらに、天板２に置かれたリモコンＲを操作して、リモコン視力表１０１の視表を移動させていく。被検者Ｍ２が強度の近視であれば、収納ボックス１６からランドルト環の描かれた視力盤を取り出し、視力を測定する。
【００３０】
上記のように視力測定を繰り返し、被検者Ｍ２の眼に合うレンズ度数を決める。検眼作業を繰り返す回数は、被検者Ｍ２の状態によって異なるが、５〜６回程度繰り返すことがある。
【００３１】
検者Ｍ１は、視力測定で得られた被検者Ｍ２の裸眼視力、レンズ度数、レンズ角などを、検眼台１の天板２に置いたカルテＫの「視力記入」欄２６（図８参照）に記載する。また、検査内容を、カルテＫの検査内容記載欄２５（図８参照）に記載する。更に、視力測定中に気付いた事項や被検者Ｍ２が訴えた事項等があれば、カルテＫの「主訴、現病歴」欄２３や「処方、処置、手術」欄２４等（図８参照）にその都度記載する。
【００３２】
このような片眼の検眼でも、検者Ｍ１は、シート２１ののり付け、視力測定結果や症状などの記載、リモコンＲの操作などにおいて頻繁に検眼台１を使用する。検眼台１は、被検者Ｍ２の近くに立つ検者Ｍ１から近い位置に設置されるので、検者Ｍ１は、被検者Ｍ２の様子を見ながらのり付けやカルテ記載、リモコン操作などの作業を迅速に行うことが可能であり、最終的には検眼時間を短縮することができる。検眼時間の短縮は、被検者Ｍ２の負担を軽減し、正しい視力を測ることにつながる。
【００３３】
片眼の検眼が終了したら、検眼した眼を遮眼子で隠してもらい、遮眼子で隠していた眼の検眼を上記と同様の手順で行う。
【００３４】
尚、被検者Ｍ２の視力を測定するのに検者Ｍ１が試行錯誤する場合には、レフラクトメータによる測定や視力測定を何回も行うことがある。この場合には、図９に示すようなカルテＫを追加し、「症状・所見・経過」の欄２７に視力測定の過程を記入し、最終的な裸眼視力やレンズ度数、レンズ角などを決めていく。この場合、検眼台１の天板２には、３枚のカルテＫを同時に載せることが可能であるので、複数枚のカルテＫを並べて過去の検眼結果も参考にしながら検眼作業を行うことが可能である。また、場合によっては、レフラクトメータがプリントアウトしたシート２１も「症状・所見・経過」の欄２７（図９参照）にのり付けしておく。
【００３５】
ここで、図５に示す検眼室では、被検者Ｍ２の座席の間に検眼台１を１台しか設置していない。しかし、検眼台１はカルテＫを３枚載せることが可能ある。そのため、二人の検者Ｍ１は、別々の被検者Ｍ２のカルテＫを天板２に載せ、互いの作業を邪魔することなく天板２の上でカルテＫに検眼結果等を同時に記載することが可能である。このように、二人の検者Ｍ１が使用するためのレンズセット用キャビネットとカルテ記載用机を検眼台１にまとめたので、検眼台１が検眼室を占める割合が小さくて済み、検眼室内がすっきりした様相になる。
【００３６】
＜作用効果＞
従って、本実施形態の検眼台１によれば、天板２の正面側縁と載置台１０との間に設けられた天板２のスペースＳ１にＡ４サイズのカルテＫをはみ出すことなく載せ、載置台１０に載置されたレンズセット１０３からテストレンズ１１０を取り出して行った検眼結果等をカルテＫの位置をずらさずにカルテＫに書き込むことができるので（図４参照）、使い勝手が良い。特に、検眼作業では、上述したようにカルテＫに書き込む情報量や記載回数が多く、カルテＫの位置をずらさずに情報をカルテＫに記載できることは、被検者Ｍ２の様子を見ながら多くの作業を行う検者Ｍ１にとって大変使い勝手がよく、しかも、カルテＫの記載位置を位置調節する無駄な時間を省き、検眼時間を短縮することができるようになる。
【００３７】
また、本実施形態の検眼台１によれば、載置台１０の両側に設置スペースＳ２が設けられているので（図１参照）、カルテＫの他にも、リモコン視力表１０１のリモコンＲなどの検眼用品を載置台１０の両側に置くことができる（図４参照）。なお、リモコンＲに変えて検眼用品立て１７を設置スペースＳ２に設置してもよい。
【００３８】
また、本実施形態の検眼台１によれば、載置面１５に載置したレンズセット１０３の滑動を底枠１３ａで制限するとともに、レンズセット１０３の左右方向の移動を左枠１１ａと右枠１２ａで制限するので（図２参照）、レンズセット１０３が載置台１０から滑落しにくく、使い勝手がよい。また、載置面１５の天側が開放されているので、レンズセット１０３の寸法に自由度を持たせることができる。すなわち、載置台１０は、レンズセット１０３の幅寸法Ｗ１１が載置台１０の幅寸法Ｗ３より小さければ、レンズセット１０３の奥行き寸法Ｗ１２を問わず載置面１５に設置することが可能である。
【００３９】
また、本実施形態の検眼台１によれば、載置面１５が天板２に対して４５度以下の角度θで傾斜しているので（図２参照）、立ち作業をする検者Ｍ１が見やすい位置にテストレンズ１１０を並べることができる。また、検者Ｍ１は、テストレンズ１１０をレンズセット１０３から簡単に取り出したり、収納することができる。
【００４０】
また、本実施形態の検眼台１によれば、背板３の外面に収納ボックス１６を設けたので、被検者Ｍ２から見えない位置に視力盤等の検眼用品を収納することができる。
【００４１】
＜変形例＞
以上、本考案の一実施形態について説明したが、本考案は、上記実施形態に限定されず、種々の変更が可能である。
（１）例えば、上記実施形態では、４０通りのレンズセット１０３を載置できるように載置台１０の幅寸法Ｗ３を設定したが、１１通りや２４通りのレンズを収納するレンズセット１０３に合わせて載置台１０の幅寸法Ｗ３を設定してもよい。この場合、レンズセット１０３の幅寸法が小さくなるのに合わせて天板２の幅寸法Ｗ１を小さくしてもよい。
（２）例えば、上記実施形態では、載置面１５の傾斜を固定したが、可動部材によって載置面１５の傾斜角度を変更可能にし、検者Ｍ１が身長などに合わせて載置面１５の傾斜角度を変え、使い勝手を良くするようにしてもよい。
【００４２】
（３）例えば、上記実施形態では、収納ボックス１６を設けたが、収納ボックス１６がなくてもよい。
（４）例えば、上記実施形態では、リモコンＲを載置台１０の両側に置いただけであるが、載置台１０の両側にリモコンＲを位置決め保持する保持台を固定し、リモコン操作時にリモコンＲの向きが変わらないようにしてもよい。これに対して、保持台を回転可能に天板２に取り付け、保持台にセットしたリモコンの向きを任意に変えられるようにしてもよい。また、回転する保持台の場合には、任意の位置で保持台の向きを固定できるストッパを設けてもよい。
【００４３】
（５）例えば、上記実施形態では、左枠１１ａと右枠１２ａを固定式にしたが、左枠１１ａに対して右枠１２ａを可動式にして、レンズセット１０３の幅寸法Ｗ１１に合わせて右枠１２ａを位置調整できるようにしてもよい。
（６）例えば、上記実施形態では、側板１１，１２と正面板１３とにより左右枠１１ａ，１２ａと底枠１３ａを設けたが、載置面１５に左右枠や固定枠を直接固定するようにしてもよいし、左右枠や底枠を移動可能に載置面１５に取り付けるようにしてもよい。
【００４４】
（７）例えば、上記実施形態の検眼台１にキャスタを取り付け、検眼台１の移動を簡便にしてもよい。
（８）例えば、上記実施形態の天板２にマットを敷き、マットの間に説明書や記入例などを挟み込み、検者Ｍ１の利便性を向上させてもよい。
（９）例えば、上記実施形態では、検眼用品立て１７を可動式にしたが、天板２に固定してもよい。
【図面の簡単な説明】
【００４５】
【図１】本考案の検眼台の斜視図である。
【図２】図１に示す検眼台の側面図である。
【図３】図１に示す検眼台を背面側から見た斜視図である。
【図４】図１に示す検眼台の使用例である。
【図５】検眼室の一例を示す図である。
【図６】レンズセットの平面図である。
【図７】従来の検眼用キャビネットを示す図である。
【図８】カルテの一例である。
【図９】カルテの別例である。
【符号の説明】
【００４６】
１  検眼台
２  天板
３  背板
１０  載置台
１１ａ  左枠
１２ａ  右枠
１３ａ  底枠
１５  載置面
１６  収納ボックス
１０３  レンズセット
１１０  テストレンズ
Ｓ１  スペース
Ｓ２  設置スペース
Ｋ    カルテ（検眼用品）
θ    傾斜角度
【図１】
0003123144.tif 000003
【図２】
0003123144.tif 000004
【図３】
0003123144.tif 000005
【図４】
0003123144.tif 000006
【図５】
0003123144.tif 000007
【図６】
0003123144.tif 000008
【図７】
0003123144.tif 000009
【図８】
0003123144.tif 000010
【図９】
0003123144.tif 000011